【手続補正書】
【提出日】平成17年7月4日(2005.7.4)
【手続補正１】
【補正対象書類名】明細書
【補正対象項目名】特許請求の範囲
【補正方法】変更
【補正の内容】
【特許請求の範囲】
【請求項１】
提供されるべき情報であるコンテンツを蓄積する蓄積手段と、ユーザの嗜好に応じた前記コンテンツの提示形態を記述したユーザプロファイルに従い前記コンテンツの変換仕様を動的に生成する変換仕様生成手段と、前記変換仕様に従い前記コンテンツを動的に変換するコンテンツ変換手段と、前記変換されたコンテンツを配信する通信手段とを含む情報提供サーバ装置。
【請求項２】
提供されるべき情報であるコンテンツを蓄積する蓄積手段と、ユーザの嗜好に応じた前記コンテンツの提示形態を記述したユーザプロファイル及びユーザの情報端末の特性を設定した端末プロファイルに従い前記コンテンツの変換仕様を動的に生成する変換仕様生成手段と、前記変換仕様に従い前記コンテンツを動的に変換するコンテンツ変換手段と、前記変換されたコンテンツを配信する通信手段とを含む情報提供サーバ装置。
【請求項３】
コンテンツの配信を要求された場合に、変換仕様生成手段は、変換仕様を動的に生成し、更に、コンテンツ変換手段は、前記変更仕様に従い前記コンテンツを動的に変換する請求項１又は２記載の情報提供サーバ装置。
【請求項４】
ユーザプロファイルは、文字の大きさ、色使い、図の大きさ、レイアウト若しくは音声出力の要否を含む情報提示方法又はコンテンツの説明の詳しさ、音声出力の内容若しくは日本語の場合には漢字への対応法を含む情報内容の少なくとも１つの特性に対してユーザへの最適値を設定する請求項１ないし３のいずれか記載の情報提供サーバ装置。
【請求項５】
コンテンツ変換手段は、音声出力の内容に基づく変換として、視覚的な情報を用いない代替情報を用いて変換する請求項４記載の情報提供サーバ装置。
【請求項６】
通信手段は、視覚的な情報を用いない代替情報を用いて変換した場合は、視覚的な情報を除くコンテンツを配信する請求項５記載の情報提供サーバ装置。
【請求項７】
コンテンツの配信が要求された場合に、ユーザの嗜好に応じた情報の提示形態を記述したユーザプロファイルに従い蓄積された前記コンテンツの変換仕様を、動的に生成し、更に、前記変換仕様に従い前記蓄積されたコンテンツを、動的に変換して配信する方法において、
前記ユーザプロファイルは、文字の大きさ、色使い、図の大きさ、レイアウト若しくは音声出力の要否を含む情報提示方法又はコンテンツの複雑さ、音声出力の内容若しくは日本語の場合には漢字への対応法を含む情報内容の少なくとも１つの特性に対してユーザへの最適値を設定する情報提供方法。
【請求項８】
コンテンツの変換は、音声出力の内容に基づく変換として、視覚的な情報を用いない代替情報を用いて変換する請求項７記載の情報提供方法。
【手続補正２】
【補正対象書類名】明細書
【補正対象項目名】００１８
【補正方法】変更
【補正の内容】
【００１８】
請求項５に記載の発明は、コンテンツ変換手段は、音声出力の内容に基づく変換として、視覚的な情報を用いない代替情報を用いて変換する請求項４記載の情報提供サーバ装置としたものであり、予め設定した代替情報で提供することによりアクセシビリティの高い情報提供ができるという作用を有する。
【手続補正３】
【補正対象書類名】明細書
【補正対象項目名】００１９
【補正方法】変更
【補正の内容】
【００１９】
請求項６に記載の発明は、通信手段は、視覚的な情報を用いない代替情報を用いて変換した場合は、視覚的な情報を除くコンテンツを配信する請求項５記載の情報提供サーバ装置としたものであり、不要な情報を送らないことで情報提供時間の短縮や通信網の有効活用を図ることができるという作用を有する。
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】変更
【補正の内容】
【００２４】
請求項７に記載の発明は、コンテンツの配信が要求された場合に、ユーザの嗜好に応じた情報の提示形態を記述したユーザプロファイルに従い蓄積された前記コンテンツの変換仕様を、動的に生成し、更に、前記変換仕様に従い前記蓄積されたコンテンツを、動的に変換して配信する方法において、ユーザプロファイルは、文字の大きさ、色使い、図の大きさ、レイアウト若しくは音声出力の要否を含む情報提示方法又はコンテンツの複雑さ、音声出力の内容若しくは日本語の場合には漢字への対応法を含む情報内容の少なくとも１つの特性に対してユーザへの最適値を設定する情報提供方法としたものであり、文字サイズやコンテンツの説明の詳しさ、音声出力の有無など、ユーザの特性に合わせた情報を提供可能な使いやすい情報の提供を実現するという作用を有する。
【手続補正９】
【補正対象書類名】明細書
【補正対象項目名】００２５
【補正方法】変更
【補正の内容】
【００２５】
請求項８に記載の発明は、コンテンツの変換は、音声出力の内容に基づく変換として、視覚的な情報を用いない代替情報を用いて変換する請求項７記載の情報提供方法としたものであり、予め設定した代替情報で提供することによりアクセシビリティの高い情報提供ができるという作用を有する。
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００４７
【補正方法】変更
【補正の内容】
【００４７】
コンテンツは、ユーザプロファイルの各特性項目に対して、ｕｄ：ｆｏｎｔは、文字の大きさを示し、ｕｄ：ｉｍｇは、画像の拡大を示し、ｕｄ：ｃｏｍｐｌｅｘｉｔｙは、説明の詳しさを示し、ｕｄ：ｓｐｅｅｃｈは、音声出力用テキストを示し、ｕｄ：ｓｏｕｎｄは、音声ファイルを添付するなどの音声補助情報を示し、ｕｄ：ｋａｎｊｉは、漢字の理解度、ふりがなの必要度を示すタグを定義しており、コンテンツ作成時に、それぞれのタグに対応する処理、内容を予めコンテンツに埋め込むことにより、アクセシブルなコンテンツを作成することができる。
【手続補正１５】
【補正対象書類名】明細書
【補正対象項目名】０１３６
【補正方法】変更
【補正の内容】
【０１３６】
図１５（ａ）は、すばやく表示するために、従来の取扱説明書を示す。ｃｏｍｐｌｅｘｉｔｙ  ｌｅｖｅｌ＝１に設定されている。図１５（ｂ）は、大きく表示するために、文字サイズをかなり大きめに示す。図１５（ｃ）は、内容の理解を容易にするために、漢字にふりがなをふり、更に、小学校２学年程度の漢字の理解力に合わせて記述とし、文字サイズは、大きめとする。図１５（ｂ）及び図１５（ｃ）は、ｃｏｍｌｅｘｉｔｙ  ｌｅｖｅｌ＝２に設定されている。図１５（ｄ）は、音声による表示とし、音声用代替／補助情報、音声出力を用いる。ｃｏｍｌｅｘｉｔｙ  ｌｅｖｅｌ＝３である。